(57)【要約】【課題】着座状態から立ち上がり易くする。【解決手段】クッション１０は、着座した人の臀部を支持するベースサポート１２と、着座した人の大腿部を支持するフロントサポート１４とを備えている。フロントサポート１４は、ベースサポート１２の前側に連なるように設けられ、該ベースサポート１２から前側へ向かうにつれて高くなるように傾斜する後方支持部２２と、後方支持部２２の前側に連なるように設けられ、該フロントサポート１４の頂部２６から前側に向かうにつれて低くなるように傾斜する前方支持部２４とを有している。【選択図】図１
2019042421.tif 000002
【特許請求の範囲】
【請求項１】
着座した人の臀部を支持するベースサポートと、
着座した人の大腿部を支持するフロントサポートと、を備え、
前記フロントサポートは、
前記ベースサポートの前側に連なるように設けられ、該ベースサポートから前側へ向かうにつれて高くなるように傾斜する後方支持部と、
前記後方支持部の前側に連なるように設けられ、該フロントサポートの頂部から前側に向かうにつれて低くなるように傾斜する前方支持部と、を有している
ことを特徴とするクッション。
【請求項２】
前記前方支持部は、前記後方支持部よりも傾斜が緩く形成されている請求項１記載のクッション。
【請求項３】
前記後方支持部は、前記ベースサポート側の傾斜よりも前記フロントサポートの頂部側の傾斜が緩く形成されている請求項１または２記載のクッション。
【請求項４】
前記ベースサポートの側方および後方を囲んで、該ベースサポートから立ち上がるように形成されたサイドサポートを有し、
前記サイドサポートは、前記後方支持部の横側まで延在するように形成されている請求項１〜３の何れか一項に記載のクッション。
【請求項５】
前記フロントサポートは、該フロントサポートの上面をなす上層部と、該上層部の下側に配置され、該上層部よりも硬く構成された下層部とを備え、
前記下層部は、前記フロントサポートの頂部に対応する位置に少なくとも配置されている請求項１〜４の何れか一項に記載のクッション。
【請求項６】
前記フロントサポートの左右方向中央部に設けられた逃げ部を備え、
前記逃げ部は、前記ベースサポートの前側に連ねて、少なくとも前記フロントサポートの頂部または該頂部近傍までにかけて該フロントサポートの上面より凹むように形成されている請求項１〜５の何れか一項に記載のクッション。
【発明の詳細な説明】
【技術分野】
【０００１】
この発明は、腰を掛ける部位に用いられるクッションに関するものである。
【背景技術】
【０００２】
一般的な折りたたみ式の車椅子は、ビニルレザーやナイロンシート等のスリングシートと呼ばれる薄いシートで座部が形成されることが多い。このため、スリングシートからなる座部に直接に座ると、その重みによってスリングシートが下方へ撓んで、臀部が沈み込んでしまうため、骨盤が後方や左右に傾斜したり、旋回したりして、安定した座位の姿勢を保つのが難しいという問題がある。また、スリングシートから成る背もたれにおいても、臀部を後方側からしっかりと支える機能がないために、骨盤を安定させる効果は得られない。このため、座シートも背シートもスリングシートの車いすに座ると、誰でもこのような問題が発生し、とりわけ座る機能が低下している高齢者や車いす利用者にとっては深刻な問題である。
【０００３】
そこで、座ったときに姿勢を安定させるために、例えば、特許文献１に開示の車椅子用クッションが提案されている。特許文献１の車椅子用クッションは、着座時に臀部が載る部分を凹ませると共に、着座時に大腿部が載る部分を凹ませることで、臀部および大腿部を保持して、着座時の安定性向上を図っている。
【先行技術文献】
【特許文献】
【０００４】
【特許文献１】特開２０１５−１８１９１２号公報
【発明の概要】
【発明が解決しようとする課題】
【０００５】
特許文献１の車椅子用クッションは、臀部を支持する部分が凹んでいるので、使用者が座った状態から立つ際に、臀部を上方に持ち上げて凹みから抜け出る必要がある。このため、使用者が座った状態から立つ際に、自身を上方に持ち上げる力が大きく必要となり、立ち上がり難くなる弊害が指摘される。車椅子を利用する使用者は、筋力が落ちていることもあり、自ら立ち上がろうとすることを諦めて、ますます筋力が低下する悪循環に陥ることで、使用者の自立という側面から重大な問題になっている。
【０００６】
本発明は、従来の技術に係る前記問題に鑑み、これらを好適に解決するべく提案されたものであって、着座状態から立ち易くすることができるクッションを提供することを目的とする。
【課題を解決するための手段】
【０００７】
前記課題を克服し、所期の目的を達成するため、本願の請求項１に係る発明のクッションは、
着座した人の臀部を支持するベースサポートと、
着座した人の大腿部を支持するフロントサポートと、を備え、
前記フロントサポートは、
前記ベースサポートの前側に連なるように設けられ、該ベースサポートから前側へ向かうにつれて高くなるように傾斜する後方支持部と、
前記後方支持部の前側に連なるように設けられ、該フロントサポートの頂部から前側に向かうにつれて低くなるように傾斜する前方支持部と、を有していることを要旨とする。
請求項１に係る発明によれば、フロントサポートで使用者の荷重変化を誘導して、使用者が着座した状態から立ち上がり易くすることができる。
【０００８】
請求項２に係る発明では、前記前方支持部は、前記後方支持部よりも傾斜が緩く形成されていることを要旨とする。
請求項２に係る発明によれば、フロントサポートにおいて傾斜が比較的緩い前方支持部によって、足底へのスムーズな荷重移動を可能とすることで、使用者の立ち上がりを安定してサポートできる。
【０００９】
請求項３に係る発明では、前記後方支持部は、前記ベースサポート側の傾斜よりも前記フロントサポートの頂部側の傾斜が緩く形成されていることを要旨とする。
請求項３に係る発明によれば、フロントサポートの頂部付近に形成された後方支持部の比較的緩い傾斜によって、使用者の立ち上がりを好適にサポートできる。
【００１０】
請求項４に係る発明では、前記ベースサポートの側方および後方を囲んで、該ベースサポートから立ち上がるように形成されたサイドサポートを有し、
前記サイドサポートは、前記後方支持部の横側まで延在するように形成されていることを要旨とする。
請求項４に係る発明によれば、後方支持部の側方まで延びるサイドサポートによって、大腿部の根元部分を横から支持することができる。また、着座した使用者を周りから支持して、着座した状態における姿勢の安定性を向上することができる。
【００１１】
請求項５に係る発明では、前記フロントサポートは、該フロントサポートの上面をなす上層部と、該上層部の下側に配置され、該上層部よりも硬く構成された下層部とを備え、
前記下層部は、前記フロントサポートの頂部に対応する位置に少なくとも配置されていることを要旨とする。
請求項５に係る発明によれば、比較的硬い下層部を設けることで、大腿部からフロントサポートにかかる荷重を適切に支持できる。
【００１２】
請求項６に係る発明では、前記フロントサポートの左右方向中央部に設けられた逃げ部を備え、
前記逃げ部は、前記ベースサポートの前側に連ねて、少なくとも前記フロントサポートの頂部または該頂部近傍までにかけて該フロントサポートの上面より凹むように形成されていることを要旨とする。
請求項６に係る発明によれば、逃げ部によって、着座した使用者の股間部への圧迫を回避できる。
【発明の効果】
【００１３】
本発明に係るクッションによれば、使用者が着座状態から立ち上がり易くすることができる。
【図面の簡単な説明】
【００１４】
【図１】本発明の好適な実施例に係るクッションを示す斜視図である。
【図２】実施例のクッションを、図１と別の角度から示す斜視図である。
【図３】実施例のクッションを示す正面図である。
【図４】実施例のクッションを示す背面図である。
【図５】実施例のクッションを示す平面図である。
【図６】実施例のクッションを示す底面図である。
【図７】実施例のクッションを示す右側面図である。
【図８】図５のＡ−Ａ線で破断した端面図である。
【図９】図５のＢ−Ｂ線で破断した端面図である。
【図１０】図５のＣ−Ｃ線で破断した端面図である。
【図１１】実施例のクッションから立ち上がるときを示す説明図である。
【図１２】実施例のクッションから立ち上がるときを示す説明図である。
【図１３】別実施例のクッションを示す斜視図である。
【図１４】別実施例のクッションを示す平面図である。
【図１５】別実施例のクッションを示す底面図である。
【図１６】別実施例のクッションを図５のＡ−Ａ線に対応する部位で破断した端面図である。
【図１７】別実施例のクッションを図５のＣ−Ｃ線に対応する部位で破断した端面図である。
【図１８】別実施例のクッションの形状的な特徴部分を示す正面図である。
【図１９】別実施例のクッションの形状的な特徴部分を示す背面図である。
【図２０】別実施例のクッションの形状的な特徴部分を示す平面図である。
【図２１】別実施例のクッションの形状的な特徴部分を示す底面図である。
【図２２】別実施例のクッションの形状的な特徴部分を示す右側面図である。
【図２３】別実施例のクッションの形状的な特徴部分を図５のＡ−Ａ線に対応する部位で破断した端面図である。
【図２４】別実施例のクッションの形状的な特徴部分を図５のＢ−Ｂ線に対応する部位で破断した端面図である。
【図２５】別実施例のクッションの形状的な特徴部分を図５のＣ−Ｃ線に対応する部位で破断した端面図である。
【発明を実施するための形態】
【００１５】
次に、本発明に係るクッションにつき、好適な実施例を挙げて、添付図面を参照して以下に説明する。なお、本発明に係るクッションは、車椅子の座部に載せて用いることに適しているが、これに限らず、通常の椅子やソファーなどの家具などに適用してもよく、介護、福祉、家具等の分野で好適に用いることができる。また、本発明に係るクッションは、既存の座部に載せて用いるだけでなく、座部自体を本発明に係るクッションで構成してもよい。
【実施例】
【００１６】
図１および図２に示すように、実施例に係るクッション１０は、着座した使用者(人)の臀部を下から支持するベースサポート１２と、着座した使用者の大腿部を支持するフロントサポート１４とを備えている。また、クッション１０は、ベースサポート１２の周囲に立ち上がるサイドサポート１６を備えている。クッション１０は、ベースサポート１２およびフロントサポート１４が座面となり、サイドサポート１６が使用者を後および／または横から支持する壁面となる。
【００１７】
前記クッション１０は、布や樹脂シートなどの表皮材で、全体または底面等の所定面を除く外面を覆うように構成してもよい。図５に示すように、実施例のクッション１０は、ベースサポート１２におけるサイドサポート１６との境界部に、上下に貫通する取付孔１８を設け、取付孔１８に紐等の取付具を通して表皮材を引っ張ることで、外面を被覆する表皮材を展張させ得るようになっている。なお、図６の符号２０は、クッション１０の底面を凹ませて形成した収容部であり、取付孔１８を通した取付具を収容部２０に収容して、取付具が邪魔にならないようにしてある。
【００１８】
図１および図５に示すように、ベースサポート１２は、フロントサポート１４およびサイドサポート１６に囲われて、相対的にすり鉢状に形成されており、フロントサポート１４と比べて低くなっている。ベースサポート１２は、上面が前後方向および左右方向に亘って平坦に形成されており、実施例では上面が水平になっている(図８および図９参照)。
【００１９】
図１、図５および図８に示すように、フロントサポート１４は、ベースサポート１２の前側に、該ベースサポート１２に連なるように設けられている。フロントサポート１４は、該フロントサポート１４で最も高い頂部２６の後側に設けられた後方支持部２２と、頂部２６の前側に設けられた前方支持部２４とを備えている。フロントサポート１４は、ベースサポート１２の前側に連なるように設けられ、該ベースサポート１２から前側へ向かうにつれて高くなるように傾斜する後方支持部２２を有している。また、フロントサポート１４は、後方支持部２２の前側に連なるように設けられ、該フロントサポート１４の頂部２６から前側に向かうにつれて低くなるように傾斜する前方支持部２４を有している。このように、フロントサポート１４の上面は、前後方向において、上方へ凸となるように変化する隆起形状で形成されている。また、フロントサポート１４の上面は、左右方向において、同じ高さで基本的に形成されており、前後方向の同じ位置において左右方向に水平になっている(図１０参照)。ここで、フロントサポート１４の上面は、前後方向において、曲線、または曲線と直線との組み合わせで構成されており、角のないなだらかな面になっている(図８参照)。なお、フロントサポート１４の頂部２６とベースサポート１２の上面との高低差は、３ｃｍ以上あることが好ましく、より好ましい前記高低差は、３ｃｍ〜１０ｃｍの範囲である。
【００２０】
図８に示すように、フロントサポート１４は、前方支持部２４の傾斜が後方支持部２２の傾斜よりも緩くなるように形成されている。ここで、後方支持部２２と前方支持部２４との間で対比される傾斜は、それぞれの支持部２２,２４の主要部または主要部の接線を指し、他の部位との繋ぎ目や縁などの傾向が異なる部位を対比するものではない。具体的には、後方支持部２２の主要部は、頂部２６とベースサポート１２の上面との間の高低差を第１高さＨ１とした場合、第１高さＨ１の１／２の位置にあたる後方支持部２２の中央点を指す。後方支持部２２の中央点における面の傾きまたは中央点に引いた接線と水平線とがなす仰角を、後方支持部２２の主要部の角度(後方傾斜角度α)と規定する。また、前方支持部２４の主要部は、頂部２６と前方支持部２４の前端との間の高低差を第２高さＨ２とした場合、第２高さＨ２の１／２の位置にあたる前方支持部２４の中央点を指す。ここで、前方支持部２４の前端とは、例えば、頂部２６からなだらかに下方傾斜する前方支持部２４において、上方に指向する面から前方に指向する面に切り替わる位置を便宜的に規定し、当該位置(上方に指向する面から前方に指向する面に切り替わる位置)が湾曲しているならば、当該位置に引いた接線が水平線に対して４５°になる位置をいう。そして、前方支持部２４の中央点における面の傾きまたは中央点に引いた接線と水平線とがなす仰角を、前方支持部２４の主要部の角度(前方傾斜角度β)と規定する。
【００２１】
図８に示すように、後方支持部２２は、その主要部の上面に沿う接線と水平面とがなす後方傾斜角度αを、４５°以下になるように設定することが好ましく、前方支持部２４の主要部上面に沿う接線と水平面がなす前方傾斜角度βが、後方傾斜角度αより小さく設定される。フロントサポート１４は、上面全体の傾斜が一定であることに限定されず、前後方向において傾斜角度が変化してもよい。後方支持部２２は、ベースサポート１２から緩い傾斜で立ち上がった後に、主要部で急激に立ち上がり、頂部２６に向けて緩い傾斜で連なるようになっている。前方支持部２４は、頂部２６に連なる主要部が、後方支持部２２の主要部よりも緩く下降しており、頂部２６近傍と比べて、該前方支持部２４の前縁近傍の傾斜が徐々にきつくなっている。
【００２２】
図８に示すように、フロントサポート１４は、その頂部２６が、使用者の体格等や着座時に支持する大腿部の前後位置等に応じて、適宜位置に配置された隆起形状で形成されている。実施例では、頂部２６がフロントサポート１４の前後方向中央部に配置されており、頂部２６が着座した使用者の大腿部を下側から受けて、大腿部の荷重を主に支持するようになっている。
【００２３】
図１および図５に示すように、サイドサポート１６は、ベースサポート１２の後方および側方に立ち上がるように形成されて、ベースサポート１２を囲っている。サイドサポート１６は、内面がベースサポート１２から外方へ向かうにつれて外方へ傾斜するように形成されて、ベースサポート１２に連なる基部と比べて上部開口が広くなっている(図８および図９参照)。また、サイドサポート１６は、フロントサポート１４の頂部２６よりも高く形成されている。クッション１０は、フロントサポート１４の前方支持部２４と、サイドサポート１６の内面とにより、着座する使用者の臀部位置を、上方から下方へ向かうにつれてベースサポート１２に案内するように形成されている。
【００２４】
図１および図５に示すように、サイドサポート１６は、ベースサポート１２の後方に立ち上がる後壁部１６ａと、ベースサポート１２の左右の側方にそれぞれ立ち上がる側壁部１６ｂ,１６ｂとを有している。後壁部１６ａは、内面が円弧状になるように左右方向へ延在している。側壁部１６ｂは、ベースサポート１２の側方から後方支持部２２の側方までに亘って配置され、着座した使用者の臀部の横側だけでなく、大腿部の根元部分横側にも延在するように設定されている。また、側壁部１６ｂは、後壁部１６ａに連なる後部から前方へ向かうにつれて低くなるように形成されて、フロントサポート１４の頂部２６または頂部２６近傍まで亘って設けられている。実施例では、前方支持部２４の側方に側壁部１６ｂが設けられず、クッション１０の前側部分における左右方向全体が前方支持部２４の上面で構成されている。
【００２５】
図１、図２および図５に示すように、クッション１０は、フロントサポート１４の左右方向中央部に設けられた逃げ部２８を備えている。逃げ部２８は、ベースサポート１２の前側に連ねて、少なくともフロントサポート１４の頂部２６または頂部２６近傍までかけてフロントサポート１４の上面より凹むように形成されている(図９参照)。逃げ部２８は、着座した使用者の股間部に対応するように形成されて、上面がベースサポート１２の上面から後方支持部２２よりも緩い傾斜で立ち上がった後に、頂部２６側で急激に立ち上がることで、後方支持部２２よりも大きく凹むように形成されている。
【００２６】
前記クッション１０は、弾性を有する発泡体から構成されている。前記発泡体としては、例えば、柔らかくて復元性を有する軟質発泡体や、硬くて復元性が無い硬質発泡体と前記軟質発泡体との中間的な性状で、ある程度の復元性を有する半硬質発泡体などを用いることができ、弾性を有していれば、硬質の発泡体も使用可能である。発泡体としては、ウレタン系やオレフィン系などの発泡体を用いることができ、これらの中でも軟質のポリウレタンフォームが好適である。また、発泡体は、連続気泡型のポリウレタンフォームを採用することで、通気性がよくなる等のメリットがあるが、独立気泡型でもよく、独立気泡と連続気泡とが混在するものであってもよい。クッションは、モールド成形により形成しても、スラブ発泡により得られるブロック体を加工して形成することなどが可能であり、製造効率などの観点からモールド成形が好ましい。
【００２７】
図８および図１０に示すように、クッション１０は、硬さが異なる発泡体３０,３２を組み合わせて構成されている。クッション１０は、着座する使用者に触れる部位が比較的柔らかい第１発泡体３０で構成される一方で、第１発泡体３０よりも硬い第２発泡体３２が第１発泡体３０の下側に配置されている。具体的には、フロントサポート１４は、該フロントサポート１４の上面をなす上層部が第１発泡体３０で構成されると共に、上層部の下側に配置される下層部が第２発泡体３２で構成されて、下層部が上層部よりも硬くなっている。下層部をなす第２発泡体３２は、上面と比べて下面が大きく形成された略台形形状に形成され、フロントサポート１４の底面に開口するように形成された凹部３４に嵌め込まれている。ここで、下層部は、フロントサポート１４の頂部２６に対応する位置に少なくとも配置されており、実施例では、下層部が左右に離して２箇所に配置されて、着座時の使用者の大腿部の荷重をそれぞれ受けるようになっている。このように、実施例のクッション１０は、ベースサポート１２およびサイドサポート１６が第１発泡体３０の１層で構成されているのに対して、フロントサポート１４の頂部２６に対応する部位が第１発泡体３０と第２発泡体３２との上下２層で構成されている。
【００２８】
前記クッション１０は、着座しようする使用者の臀部をサイドサポート１６によってベースサポート１２に向けて案内することができる。具体的には、大腿部がフロントサポート１４に当たってフロントサポート１４に支持されたもとで、後座骨結節がベースサポート１２に載る。また、座骨がベースサポート１２に載せる過程で、サイドサポート１６によって後座骨結節の着座位置が誘導される。そして、ベースサポート１２に臀部を載せると、サイドサポート１６および後方支持部２２によって骨盤を包み込むようにして、臀部を適切な位置に位置決めし得ると共に、当該適切な位置からずれないように移動規制することができる。ここで、クッション１０は、弾力性を有する発泡体で構成しているので、使用者の体格に合わせて変形し、ある程度の体格差をカバーすることができる。
【００２９】
前記クッション１０は、使用者の着座状態において、ベースサポート１２とフロントサポート１４とに体重を分散して支持することができる。また、クッション１０は、ベースサポート１２、フロントサポート１４およびサイドサポート１６によって、骨盤周囲の皮膚に広く接するので、使用者に与える負荷を軽減することができる。
【００３０】
図１１および図１２は、車椅子に実施例に係るクッション１０を載せた際に、使用者の姿勢と大腿骨３６の関係を模式的に示す説明図である。図１１(ａ)に示すように、使用者が車椅子のフットレストに足を載せた状態では、大腿部が後方支持部２２の頂部２６近傍で支持されると共に、姿勢が後傾(体幹後傾位)して、座骨部がベースサポート１２で主に支持される。この際に、脱力してもサイドサポート１６により支持されて、姿勢を安定させることができる。また、座骨部と大腿部とでほぼ均等に体重を支持して、足底にはある程度の荷重しかかかっていない状態にある。
【００３１】
図１１(ｂ)に示すように、使用者がフットレストから足を降ろした状態でも、大腿部の支持部位が後方支持部２２の頂部２６側にずれるものの、通常の姿勢で座骨部がベースサポート１２で主に支持される。この際に、脱力してもサイドサポート１６により支持されて、姿勢を安定させることができる。また、大腿部への荷重が増えて、座骨部および足裏への荷重が減少し、前傾した上体の重みで骨盤が前傾し、座骨結節が後方へずれる。
【００３２】
図１１(ｃ)に示すように、使用者がフットレストから足を降ろした状態で身体を前傾すると、大腿部の支持部位がフロントサポート１４の頂部２６に移り、大腿部がベースサポート１２より高いフロントサポート１４に支持されることで、自然と臀部がベースサポート１２から持ち上がる。臀部がベースサポート１２から離れたことで、大腿部に荷重が集中し、前方支持部２４の前下がり傾斜に誘導されて大腿部の支持部位が前方へ移動開始する。
【００３３】
図１２(ａ)に示すように、図１１(ｃ)よりも体を前傾させると、頂部２６から前方支持部２４に大腿部の支持部位が移り、更に臀部(骨盤)が上昇することになる。大腿部の支持部位が、前方支持部２４の前下がり傾斜に誘導されて前方へ移動していき、足裏への荷重が増え始める。
【００３４】
図１２(ｂ)に示すように、図１２(ａ)よりも体を前傾させると、大腿部の支持部位が前方支持部２４の前側へ移り、更に臀部(骨盤)が上昇すると共に足底への荷重が増すことになる。大腿部の支持部位が、前方支持部２４の前下がり傾斜に誘導されて更に前方へ移動していき、足裏への荷重が更に増える。また、上体の重みで骨盤が更に前傾していく。
【００３５】
図１２(ｃ)に示すように、図１２(ｂ)よりも体を前傾させると、大腿部の支持部位が更に前方支持部２４の前側へ移り、更に臀部(骨盤)が上昇すると共に足部への重心移動が完了することになる。足部へほとんど荷重が移動し、大腿部への荷重がわずかになる。このように、クッション１０は、上体を前傾するにつれて座骨への荷重が「０」に近づくように小さくなり、臀部が自然に持ち上がる。これに対して、従来のクッションは、上体を前傾していっても座骨への荷重が、大腿部等の周辺の支持部位よりも小さくなることはなく、本開示に係るクッション１０と大きく相違している。
【００３６】
前記クッション１０によれば、立ち上がり動作において、体幹の前傾運動により股関節骨頭を中心に骨盤が前傾し、座骨結節がベースサポート１２から離れ、荷重位置を大腿骨近位部に移動させることができる。また、体幹前傾運動により上体の重心が前方へ移動することに伴い、大腿部の支持部位も前方へ移動させることができる。そして、大腿部の支持部位の前方移動に伴って、足部への荷重を徐々に増加させて、大腿部をクッション１０から離れるように誘導できる。このように、前記クッション１０によれば、上体の移動(前傾または後傾)だけで、荷重を受ける支持面を変化させることができる。例えば、上体の後傾時にベースサポート１２で荷重を主に受けて、姿勢を安定しつつ体圧分散することができ、上体の前傾時にフロントサポート１４で荷重を主に受けて、立ち上がり動作をサポートすることができる。クッション１０は、隆起したフロントサポート１４に、着座した使用者の体圧が分散しているので、着座した姿勢において上体の前傾・後傾に伴う骨盤の前傾・後傾が容易である。
【００３７】
前記クッション１０は、上体を前傾するだけでフロントサポート１４により臀部の持ち上げを助け、フロントサポート１４の傾斜によって自然な荷重移動を助けることで、筋力が低下した使用者であってもとても立ち上がり易い。しかも、上体を前傾しても、大腿部がフロントサポート１４によって支持されているので、使用者に安心感を与えることができ、上体前傾時の使用者の恐怖心をなくして、使用者の積極的な立ち上がりを促すことができる。このように、クッション１０によれば、使用者の自発的・自律的な立ち上がりに繋がり、自立した生活を形成することに寄与することができ、また介助者等の補助者の負担を軽減することができる。
【００３８】
ここで、前方支持部２４は、比較的緩い傾斜になっているので、荷重移動をスムーズおよび緩やかにすることができ、立ち上がり動作を安定させることができる。後方支持部２２は、該後方支持部２２において頂部２６に連なる部分よりもベースサポート１２に近い中央点を比較的急な傾斜にすることで、着座時の安定性を増すことができる。そして、後方支持部２２は、フロントサポート１４の頂部２６に連なる部分の傾斜が、該後方支持部２２の中央点よりも緩く形成されているので、頂部２６の乗り越える荷重移動を妨げることを抑えて、立ち上がり動作の負担をより少なくすることができる。
【００３９】
前記クッション１０は、サイドサポート１６の側壁部１６ｂが後方支持部２２の横側まで延びているので、着座した使用者の大腿部が外方へ開かないように位置規制することができる。このように、側壁部１６ｂによって、足部に荷重が安定して移るように大腿部の姿勢を規定したもとで、立ち上がり動作を行わせることができるので、立ち上がり動作をより安定させることができる。しかも、側壁部１６ｂは、前方支持部２４まで延びていないので、着座した人の圧迫感を減らすことができると共に、ある程度の大腿部の動作を許容し得る。
【００４０】
前記フロントサポート１４は、上層部を比較的柔らかく形成する一方で、下層部を比較的硬く形成しているので、柔らかい上層部により皮膚への負担を軽減しつつ、立ち上がりに際してかかる荷重を適切に受け止めることができる。具体的には、立ち上がり初期にフロントサポート１４の頂部２６に荷重がかかるが、下層部の存在により頂部２６が大きく潰れることがなく、大腿部を支えることができる。これにより、上体の前傾に伴うフロントサポート１４による荷重の移動を安定して誘導することができ、立ち上がり動作を適切にサポートできる。
【００４１】
前記フロントサポート１４には、使用者の股間部に対応する位置を凹ませて逃げ部２８が設けられているので、隆起形状のフロントサポート１４であっても、股間部への圧迫をなくすことができる。逃げ部２８は、フロントサポート１４の頂部２６までに亘って形成されているので、例えば使用者がおむつをしている場合であっても、逃げ部２８におむつを受け入れて、使用者への圧迫を回避し得る。
【００４２】
実施例のクッション１０によれば、フロントサポート１４によって、臀部で支える体重が大腿部に分散して荷重されることにより、着座した状態での姿勢の安定性を向上することができる。また、大腿部に合わせた凹部を設けた従来のクッションのように、フロントサポート１４が大腿部を完全に保持する構成ではないので、運動性を確保することができる。このように、クッション１０は、着座した状態での安定性と運動性とを両立できると共に、立ち上がりを楽に行えるようにサポートできる。
【００４３】
前記クッション１０は、フロントサポート１４がベースサポート１２よりも隆起しているので、使用者が座る途中に、大腿部がフロントサポート１４で支持されることになり、これにより下肢への負担を軽減することができる。しかも、ベースサポート１２に向けて傾斜する後方支持部２２により、着座時に座骨を適正な位置へ誘導することができる。そして、着座時に、後方支持部２２と後壁部１６ａと挟まれて支持されるので、所謂仙骨座りになることを防止できる。また、サイドサポート１６および後方支持部２２によって、着座した使用者の臀部を包み込むように支えるので、骨盤を安定させることができる。ベースサポート１２で座骨を支え、フロントサポート１４で大腿部を支え、更にサイドサポート１６で臀部を支えるように、広い面で体重を支持するので、体圧を分散させることができる。このように、本開示のクッション１０によれば、食事などの上体を前傾した座位での機能的活動時において、姿勢保持をサポートすることができる。
【００４４】
図１３〜図１７は、別実施例のクッション４０を示している。別実施例のクッション４０は、取付孔および収容部を有さず、単一の発泡体で構成されている点が、前記実施例と異なっている。なお、図１３〜図１７以外の別実施例の形状は、図２〜図４、図７、図９に示す実施例と同じである。
【００４５】
図１８〜図２５は、別実施例のクッション４０の形状的な特徴部分であるフロントサポート１４を判り易く実線で表し、その他の部分を破線で示したものである。図１８〜図２５では、実施例と同様にフロントサポート１４を２層で構成している。なお、図１３〜図１７において、実施例の各部と対応する構成には同じ符号を付して説明を省略する。
【００４６】
前述した実施例および別実施例のクッション１０,４０は、右側面と左側面とが同じである。また、前述したクッション１０,４０は、左右方向中央を前後に通る仮想線を挟んで左右対称な形状になっているが、左右非対称であってもよい。また、図において、各面の表面に表した細線は、面の変化を判り易くするために示したものであって、模様を表すものではない。
【００４７】
前述した実施例に限らず、例えば以下のように変更してもよい。
(１)別体を形成した各部を接着等により組み合わせて、クッションを構成してもよい。
(２)硬質な板材など、全体の変形を防止する撓み防止材を組み合わせてもよい。このような撓み防止材を備えることで、車椅子等の座面が撓み易い場合に変形を抑えることができる。
(３)実施例では、フロントサポートを複層で構成したが、ベースサポートまたはサイドサポートを複層構造としてもよい。また、２層に限らず、３層以上であってもよい。
(４)フロントサポートは、頂部を前後方向に平坦な面で構成してもよい。
【符号の説明】
【００４８】
１２ ベースサポート，１４ フロントサポート，１６ サイドサポート，
２２ 後方支持部，２４ 前方支持部，２６ 頂部，２８ 逃げ部
【図１】
2019042421.tif 000003
【図２】
2019042421.tif 000004
【図３】
2019042421.tif 000005
【図４】
2019042421.tif 000006
【図５】
2019042421.tif 000007
【図６】
2019042421.tif 000008
【図７】
2019042421.tif 000009
【図８】
2019042421.tif 000010
【図９】
2019042421.tif 000011
【図１０】
2019042421.tif 000012
【図１１】
2019042421.tif 000013
【図１２】
2019042421.tif 000014
【図１３】
2019042421.tif 000015
【図１４】
2019042421.tif 000016
【図１５】
2019042421.tif 000017
【図１６】
2019042421.tif 000018
【図１７】
2019042421.tif 000019
【図１８】
2019042421.tif 000020
【図１９】
2019042421.tif 000021
【図２０】
2019042421.tif 000022
【図２１】
2019042421.tif 000023
【図２２】
2019042421.tif 000024
【図２３】
2019042421.tif 000025
【図２４】
2019042421.tif 000026
【図２５】
2019042421.tif 000027